(57)【要約】【課題】  通話相手に関する情報を正確に推論することができ、かつ通話相手に関する情報を通話中の利用者に負担を与えることなく確実に伝達すること。【解決手段】  固定電話機１では、利用者の体温を計測する体温センサ１８２，発汗を計測する発汗センサ１８３，心拍数を計測する心拍数センサ１８４と、利用者が任意にオ・オフできる意思伝達スイッチとが、入力検知部１８０を介して接続される。各センサからの計測値と、意思伝達スイッチからのスイッチ情報とに基づいて推論情報が作成され、音声とともに通話相手の携帯電話機２に送信される。また、固定電話機１では、携帯電話機２から通話相手の音声及び推論情報が受信されて、その音声が出力されるとともに、その推論情報に基づいて発光部１９２，振動部１９３，発熱部１９４の動作が制御されて、通話相手に関する情報が利用者に通知される。【選択図】  図４
2005295170.tif 000002
【特許請求の範囲】
【請求項１】
通話相手と音声通信を行う音声通信装置であって、
ネットワークを介して音声信号と通話相手に関する情報とを受信する受信手段と、
前記受信手段を支持し、かつ利用者が身につけることが可能な支持部材と、
利用者が前記支持部材を身につけている状態で、前記受信手段により受信された前記通話相手に関する情報を、利用者に通知可能に提示する情報提示手段とを備えることを特徴とする音声通信装置。
【請求項２】
前記受信手段により受信された前記通話相手に関する情報を解析して、該通話相手に関する情報の情報提示態様を特定する情報提示態様特定手段と、
前記情報提示態様特定手段により特定された前記情報提示態様に基づいて、情報提示動作を制御する情報提示動作制御手段とを備え、
前記情報提示手段は、前記情報提示動作制御手段により制御されて、利用者に対する前記情報提示動作を実行することを特徴とする請求項１に記載の音声通信装置。
【請求項３】
前記支持部材は、利用者が把持することが可能な受話器であって、
前記情報提示手段は、光を発し、利用者が前記支持部材を把持している状態で、発した光が目視可能な位置に設けられた発光部であって、
前記情報提示態様特定手段は、前記情報提示態様として、前記発光部における光量，点滅時間間隔，発光色の少なくとも１つを発光態様として特定し、
前記情報提示動作制御手段は、前記発光態様に基づいて、前記発光部における発光動作を制御することを特徴とする請求項２に記載の音声通信装置。
【請求項４】
前記支持部材は、利用者が把持することが可能な受話器であって、
前記情報提示手段は、振動し、利用者が前記支持部材を把持している状態で、振動が感知可能な位置に設けられた振動部であって、
前記情報提示態様特定手段は、前記情報提示態様として、前記振動部における振動の強さ，振動の速さ，振動時間間隔の少なくとも１つを振動態様として特定し、
前記情報提示動作制御手段は、前記振動態様に基づいて、前記振動部における振動動作を制御することを特徴とする請求項２に記載の音声通信装置。
【請求項５】
前記支持部材は、利用者が把持することが可能な受話器であって、
前記情報提示手段は、熱を発し、利用者が前記支持部材を把持している状態で、発した熱が感温可能な位置に設けられた発熱部であって、
前記情報提示態様特定手段は、前記情報提示態様として、前記発熱部における発熱温度，発熱範囲，発熱面積の変化の少なくとも１つを発熱態様として特定し、
前記情報提示動作制御手段は、前記発熱態様に基づいて、前記発熱部における発熱動作を制御することを特徴とする請求項２に記載の音声通信装置。
【請求項６】
前記情報提示手段が複数設けられており、
前記情報提示態様特定手段は、発光部、振動部、発熱部の一部又は全部における情報提示動作を組み合わせた情報提示態様を特定し、
前記情報提示動作制御手段は、前記情報提示態様に基づいて、前記複数の情報提示手段の一部又は全部における前記情報提示動作を制御することを特徴とする請求項２乃至５のいずれかに記載の音声通信装置。
【請求項７】
前記情報提示態様特定手段は、前記通話相手に関する情報が通話相手の強い推論を示すものである場合は、利用者に対する影響度が大きい前記情報提示態様を特定することを特徴とする請求項２乃至６のいずれかに記載の音声通信装置。
【請求項８】
請求項１乃至７のいずれかに記載の音声通信装置であって、
通話相手に対する利用者の音声を入力するための音声入力手段と、
利用者に関する情報を計測する、少なくとも１個以上のセンサと、
前記センサから計測値を取得する計測値取得手段と、
前記計測値取得手段により取得された前記計測値に基づいて、該計測値とは異なる指標値である推論情報を作成する推論情報作成手段と、
ネットワークを介して、前記利用者の音声と前記推論情報とを送信する送信手段とを備えることを特徴とする音声通信装置。
【請求項９】
前記センサは、前記利用者の体温、心拍数、発汗、圧力、呼吸及び加速度の少なくとも１つを計測するものであることを特徴とする請求項８に記載の音声通信装置。
【請求項１０】
前記センサは、前記利用者が把持する筐体側面部に、該センサの読み取り部が設けられることを特徴とする請求項８又は９に記載の音声通信装置。
【請求項１１】
利用者自身が操作して利用者の意思を入力するための意思入力手段と、
前記意思入力手段から入力された意思情報を取得する意思情報取得手段とを備え、
前記推論情報作成手段は、前記計測値取得手段により取得された前記計測値と、前記意思情報取得手段により取得された前記意思情報とに基づいて、前記推論情報を作成することを特徴とする請求項８乃至１０のいずれかに記載の音声通信装置。
【発明の詳細な説明】
【技術分野】
【０００１】
本発明は、通話相手と音声通信を行う音声通信装置に関し、詳細には、通話相手に関する情報を利用者に通知可能に提示する音声通信装置に関する。
【背景技術】
【０００２】
従来、電話回線を介して通話相手と音声通信を行う音声通信装置において、利用者による入力や操作に応じて、通話中の音声出力や画像出力などを変化させて、様々な通話態様を可能とすることが知られている。
【０００３】
例えば、利用者による入力情報に基づいて楽曲を自動生成して、通話の音声信号にミキシングして相手電話に発信することで、利用者の好みに沿う楽音データを自動的に生成し通話中の音声や留守番電話の応答メッセージ中にミキシングして、状況や話題にあったＢＧＭを聴きながら会話できる携帯通信端末装置が知られている（例えば、特許文献１参照。）。
【０００４】
また、通話相手に対応したＣＧキャラクタが選択されて、通話音声を解析して通話相手の感情を推定して、その推定結果に基づいて動作を制御されたＣＧキャラクタを表示部に表示することで、通話相手を利用者が選択した仮想の３次元ＣＧキャラクタとして表示して、ＣＧキャラクタを介した音声会話が行える表示機能付きの通信端末が知られている（例えば、特許文献２参照。）。
【特許文献１】特開２００１−３３９４８７号公報
【特許文献２】特開２００３−２４８８４１号公報
【発明の開示】
【発明が解決しようとする課題】
【０００５】
しかしながら、特許文献１に記載の発明では、楽曲データを聞くだけでは、送信者の意識や感情、又は状況といったものを正確に把握することが困難であった。また、特許文献２に記載の発明では、通話相手の感情をＣＧキャラクタの動作で表現しているため、利用者はディスプレイを注視しながら会話する必要があった。さらに、特許文献２に記載の発明では、通話音声のみで通話相手の感情を推定しているが、通話音声のみでは精度の高い推定をすることができず、特に通話状態が悪いときには誤った推定結果が出力される問題があった。
【０００６】
本発明は上記課題を解決するためになされたものであり、意識，感情，状況などの通話相手に関する情報を正確に推論することができ、かつ通話相手に関する情報を通話中の利用者に負担を与えることなく確実に伝達することができる音声通信装置を提供することを目的とする。
【課題を解決するための手段】
【０００７】
上記目的を達成するために、請求項１に係る発明の音声通信装置は、通話相手と音声通信を行う音声通信装置であって、ネットワークを介して音声信号と通話相手に関する情報とを受信する受信手段と、前記受信手段を支持し、かつ利用者が身につけることが可能な支持部材と、利用者が前記支持部材を身につけている状態で、前記受信手段により受信された前記通話相手に関する情報を、利用者に通知可能に提示する情報提示手段とを備える。
【０００８】
また、請求項２に係る発明の音声通信装置は、請求項１に記載の発明の構成に加え、前記受信手段により受信された前記通話相手に関する情報を解析して、該通話相手に関する情報の情報提示態様を特定する情報提示態様特定手段と、前記情報提示態様特定手段により特定された前記情報提示態様に基づいて、情報提示動作を制御する情報提示動作制御手段とを備え、前記情報提示手段は、前記情報提示動作制御手段により制御されて、利用者に対する前記情報提示動作を実行することを特徴とする。
【０００９】
また、請求項３に係る発明の音声通信装置は、請求項２に記載の発明の構成に加え、前記支持部材は、利用者が把持することが可能な受話器であって、前記情報提示手段は、光を発し、利用者が前記支持部材を把持している状態で、発した光が目視可能な位置に設けられた発光部であって、前記情報提示態様特定手段は、前記情報提示態様として、前記発光部における光量，点滅時間間隔，発光色の少なくとも１つを発光態様として特定し、前記情報提示動作制御手段は、前記発光態様に基づいて、前記発光部における発光動作を制御することを特徴とする。
【００１０】
また、請求項４に係る発明の音声通信装置は、請求項２に記載の発明の構成に加え、前記支持部材は、利用者が把持することが可能な受話器であって、前記情報提示手段は、振動し、利用者が前記支持部材を把持している状態で、振動が感知可能な位置に設けられた振動部であって、前記情報提示態様特定手段は、前記情報提示態様として、前記振動部における振動の強さ，振動の速さ，振動時間間隔の少なくとも１つを振動態様として特定し、前記情報提示動作制御手段は、前記振動態様に基づいて、前記振動部における振動動作を制御することを特徴とする。
【００１１】
また、請求項５に係る発明の音声通信装置は、請求項２に記載の発明の構成に加え、前記支持部材は、利用者が把持することが可能な受話器であって、前記情報提示手段は、熱を発し、利用者が前記支持部材を把持している状態で、発した熱が感温可能な位置に設けられた発熱部であって、前記情報提示態様特定手段は、前記情報提示態様として、前記発熱部における発熱温度，発熱範囲，発熱面積の変化の少なくとも１つを発熱態様として特定し、前記情報提示動作制御手段は、前記発熱態様に基づいて、前記発熱部における発熱動作を制御することを特徴とする。
【００１２】
また、請求項６に係る発明の音声通信装置は、請求項２乃至５のいずれかに記載の発明の構成に加え、前記情報提示手段が複数設けられており、前記情報提示態様特定手段は、発光部、振動部、発熱部の一部又は全部における情報提示動作を組み合わせた情報提示態様を特定し、前記情報提示動作制御手段は、前記情報提示態様に基づいて、前記複数の情報提示手段の一部又は全部における前記情報提示動作を制御することを特徴とする。
【００１３】
また、請求項７に係る発明の音声通信装置は、請求項２乃至６のいずれかに記載の発明の構成に加え、前記情報提示態様特定手段は、前記通話相手に関する情報が通話相手の強い推論を示すものである場合は、利用者に対する影響度が大きい前記情報提示態様を特定することを特徴とする。
【００１４】
また、請求項８に係る発明の音声通信装置は、請求項１乃至７のいずれかに記載の音声通信装置であって、通話相手に対する利用者の音声を入力するための音声入力手段と、利用者に関する情報を計測する、少なくとも１個以上のセンサと、前記センサから計測値を取得する計測値取得手段と、前記計測値取得手段により取得された前記計測値に基づいて、該計測値とは異なる指標値である推論情報を作成する推論情報作成手段と、ネットワークを介して、前記利用者の音声と前記推論情報とを送信する送信手段とを備えている。
【００１５】
また、請求項９に係る発明の音声通信装置は、請求項８に記載の発明の構成に加え、前記センサは、前記利用者の体温、心拍数、発汗、圧力、呼吸及び加速度の少なくとも１つを計測するものであることを特徴とする。
【００１６】
また、請求項１０に係る発明の音声通信装置は、請求項８又は９に記載の発明の構成に加え、前記センサは、前記利用者が把持する筐体側面部に、該センサの読み取り部が設けられることを特徴とする。
【００１７】
また、請求項１１に係る発明の音声通信装置は、請求項８乃至１０のいずれかに記載の発明の構成に加え、利用者自身が操作して利用者の意思を入力するための意思入力手段と、前記意思入力手段から入力された意思情報を取得する意思情報取得手段とを備え、前記推論情報作成手段は、前記計測値取得手段により取得された前記計測値と、前記意思情報取得手段により取得された前記意思情報とに基づいて、前記推論情報を作成することを特徴とする。
【発明の効果】
【００１８】
請求項１に係る発明の音声通信装置では、通話相手の音声信号と通話相手に関する情報を受信して、支持部材に設けられた情報提示手段から、支持部材を把持して通話している利用者に対し、通話相手に関する情報を提示するので、意識，感情，状況などの通話相手に関する情報を通話中の利用者に負担を与えることなく確実に伝達することができる。
【００１９】
また、請求項２に係る発明の音声通信装置では、請求項１に係る発明の効果に加え、通話相手に関する情報の情報提示態様を特定されて、その情報提示態様が実行されるので、意識，感情，状況などの通話相手に関する情報を通話中の利用者に負担を与えることなく確実に伝達することができる。
【００２０】
また、請求項３に係る発明の音声通信装置では、請求項２に係る発明の効果に加え、利用者が受話器を把持している状態で、発した光が目視可能な位置に設けられた発光部で、光量，点滅時間間隔，発光色による発光態様が実行されるので、発光動作によって、通話相手に関する情報を通話中の利用者に負担を与えることなく確実に伝達することができる。
【００２１】
また、請求項４に係る発明の音声通信装置では、請求項２に係る発明の効果に加え、利用者が受話器を把持している状態で、振動が感知可能な位置に設けられた振動部で、振動の強さ，振動の速さ，振動時間間隔による振動態様が実行されるので、振動動作によって、通話相手に関する情報を通話中の利用者に負担を与えることなく確実に伝達することができる。
【００２２】
また、請求項５に係る発明の音声通信装置では、請求項２に係る発明の効果に加え、利用者が受話器を把持している状態で、発した熱が感温可能な位置に設けられた発熱部で、発熱温度，発熱範囲，発熱面積の変化による発熱態様が実行されるので、発熱動作によって、通話相手に関する情報を通話中の利用者に負担を与えることなく確実に伝達することができる。
【００２３】
また、請求項６に係る発明の音声通信装置では、請求項２乃至５のいずれかに係る発明の効果に加え、発光部、振動部、発熱部の一部又は全部が組み合わされた情報提示態様が実行されるので、複数の動作態様によって、通話相手に関する情報を通話中の利用者に負担を与えることなく確実に伝達することができる。
【００２４】
また、請求項７に係る発明の音声通信装置では、請求項２乃至６のいずれかに係る発明の効果に加え、通話相手に関する情報が通話相手の強い推論を示す場合は、利用者に対する影響度が大きい情報提示態様が特定されるので、通話相手に関する情報が通話相手の強い推論を示すほど、通話中の利用者に対して、通話相手に関する情報をより確実に伝達することができる。
【００２５】
また、請求項８に係る発明の音声通信装置では、請求項１乃至７のいずれかに係る発明の効果に加え、さらに、センサからの計測値に基づいて推論情報を作成し、利用者の音声と推論情報とを送信するようにしたので、利用者に関する情報を正確に推論することができ、かつ利用者に関する情報を通話相手に負担を与えることなく確実に伝達することができる。
【００２６】
また、請求項９に係る発明の音声通信装置では、請求項８に係る発明の効果に加え、センサは、利用者の体温、心拍数、発汗、圧力、呼吸及び加速度の少なくとも１つを計測するので、利用者に関する情報を正確に推論することができる。
【００２７】
また、請求項１０に係る発明の音声通信装置では、請求項８又は９に係る発明の効果に加え、利用者が把持する筐体側面部にセンサの読み取り部が設けられるので、利用者に関する情報を正確に推論することができる。
【００２８】
また、請求項１１に係る発明の音声通信装置では、請求項８乃至１０のいずれかに係る発明の効果に加え、利用者により入力された意思情報と、センサからの計測値とに基づいて推論情報を作成するので、利用者に関する情報を正確に推論することができる。
【発明を実施するための最良の形態】
【００２９】
以下、本発明の第１の実施の形態を図面を参照して説明する。第１の実施の形態に係る音声通信装置は、利用者と通話相手とが通話とするための固定電話機又は携帯電話機である。本実施の形態では、本発明に係る固定電話機を使用する利用者と、本発明に係る携帯電話機を使用する通話相手とが、電話回線を通じて通話する場合に、携帯電話機を使用する通話相手に関する情報が、固定電話機を介して利用者に通知される場合を例示する。
【００３０】
なお、本実施の形態において、通話相手に関する情報とは、センサから計測された情報と、通話相手により入力された情報とに基づいて、通話相手の意識，感情，状況などが推論された推論情報である。そして、センサから計測される情報として、体温，発汗，心拍数の各計測値を例示する。また、通話相手により入力された情報として、所定のスイッチを利用者が任意にオン・オフした情報を例示する。以下では、通話相手の推論情報が、通話相手の「感動」に関して推論されたものである場合を説明する。
【００３１】
まず、図１乃至図４を参照して、第１の実施の形態に係る固定電話機１の構成について説明する。図１は、固定電話機１及び携帯電話機２についての全体構成図である。図２は、固定電話機１の構成を示す図である。図３は、携帯電話機２の構成を示す図である。図４は、固定電話機１（携帯電話機２）の電気的構成を示すブロック図である。
【００３２】
図１に示すように、固定式の有線通信可能な電話機である固定電話機１と、携帯用の無線通信可能な電話機である携帯電話機２とは、それぞれ電話回線９０に接続されて、相互に各種信号の送受信が可能である。固定電話機１の利用者（以下、ユーザＡと呼ぶ）と携帯電話機２の通話相手（以下、ユーザＢと呼ぶ）とは、電話回線９０を介して相互に音声通話が可能である。
【００３３】
図２及び図４に示すように、固定電話機１は、受話器１ａと本体部１ｂとから構成される。受話器１ａには、ユーザＢからの発せられた音声が出力されるスピーカ１５１と、ユーザＡが発した音声が入力されるマイク１５２が設けられ、ユーザＡはこの受話器１ａを握り持ち、スピーカ１５１を耳に、マイク１５２を口に当てた状態で、ユーザＢとの会話を行う。
【００３４】
受話器１ａには、ユーザＡの体温を計測する体温センサ１８２と、発汗状態を計測するための発汗センサ１８３と、心拍数を計測するための心拍数センサ１８４とが設けられる。各センサの読取部は受話器１ａの側面部表面に設けられ、ユーザＡが受話器１ａを握り持つ状態でユーザＡの掌に接触して、適切にユーザＡを計測可能な状態に設けられる。そのため、固定電話機１では通話中のユーザＡはセンサにより計測される状態に保持される。
【００３５】
通話中のユーザＡが口をあてるマイク１５２の近傍には、発光部１９２及び振動部１９３が設けられる。発光部１９２は、例えばＲＧＢ発光ダイオード素子であり、その光量，点滅時間間隔，発光色の発光態様が制御されて、ユーザＢの推論情報をユーザＡに通知する。なお、発光部１９２は、通話中のユーザＡの視界内に入り、その発光が障害物によって遮断されない位置であれば、受話器１ａのいずれの位置に設けられてもよい。
【００３６】
振動部１９３は、例えば電動バイブレータであり、振動の強さ，振動の速さ，振動時間間隔の振動態様が制御されて、ユーザＢの推論情報をユーザＡに通知する。なお、振動部１９３は、通話中のユーザＡが振動部１９３による振動動作を体感できる位置であれば、受話器１ａのいずれの位置に設けられてもよい。
【００３７】
通話中のユーザＡが耳をあてるスピーカ１５１の近傍には、発熱部１９４が設けられる。発熱部１９４は、例えばペルチェ素子であり、発熱温度，発熱範囲，発熱面積の発熱態様が制御されて、ユーザＢの推論情報をユーザＡに通知する。なお、発熱部１９４は、通話中のユーザＡが感温可能な位置であれば、受話器１ａのいずれの位置に設けられてもよい。特に発熱部１９４の温度変化の速度によっては、把持部では反射的に受話器を手放してしまう可能性があるため、把持部以外の位置に設けることで、受話器の放り出しを防止する設計にしてもよい。
【００３８】
なお、振動部１９３をスピーカ１５１から大きく離間したマイク１５２の近傍に設けているのは、振動部１９３による振動が、スピーカ１５１からの音声に悪影響を及ぼすことを回避するためである。また、受話器1ａの側面に設けられたセンサのうち、体温センサ１８２を最も背面方向に設けたのは、発熱部１９４の影響を低減するためである。このように、好適には、発光部１９２，振動部１９３，発熱部１９４などの情報提示手段が、お互いに干渉することがなく、また、各センサや他の構成に影響を及ぼすことがないように、各情報提示手段を配置する。
【００３９】
本体部１ｂには、各種のボタンやスイッチを備えた入力パネル１８１と、ユーザＡに対して各種情報を表示するための表示部（ＬＥＤ）１９１とが設けられる。図示しないが、入力パネル１８１には、ユーザＡがユーザＢの電話番号を入力するためのダイヤルボタンや、固定電話機１の機能や動作に関する諸設定を行うための設定確認ボタンや、みずからの意思を意図的に入力するために、ユーザＡ自身がオン・オフしてスイッチ情報を入力するための意思伝達スイッチとが、少なくとも設けられる。
【００４０】
図３及び図４に示すように、携帯電話機２には、スピーカ２５１，マイク２５２，入力パネル２８１，体温センサ２８２，発汗センサ２８３，心拍数センサ２８４，表示部（ＬＥＤ）２９１，発光部２９２，振動部２９３，発熱部２９４が設けられ、これらはそれぞれ固定電話機１（図２）におけるスピーカ１５１，マイク１５２，入力パネル１８１，体温センサ１８２，発汗センサ１８３，心拍数センサ１８４，表示部１９１，発光部１９２，振動部１９３，発熱部１９４に相当する。固定電話機１は受話器１ａと本体部１ｂとが分離して構成されているのに対し、上記の構成が一体の携帯電話機２に具備されている点で異なるが、各構成の機能や動作は基本的に同じである。
【００４１】
図４に示すように、固定電話機１（携帯電話機２）には、固定電話機１（携帯電話機２）の制御を司るＣＰＵ１１０（ＣＰＵ２１０）が設けられている。このＣＰＵ１１０（ＣＰＵ２１０）には、バス１１５（バス２１５）を介し、ＣＰＵ１１０（ＣＰＵ２１０）が実行するＢＩＯＳ等のプログラムを記憶したＲＯＭ１２０（ＲＯＭ２２０）と、データを一時的に記憶するＲＡＭ１３０（ＲＡＭ２３０）とが接続されている。また、現在日時や時間間隔をカウントするための計時装置１９０（計時装置２９０）が、バス１１５（バス２１５）を介してＣＰＵ１１０（ＣＰＵ２１０）に接続されている。計時装置１９０（計時装置２９０）は、時計機能を備えたＩＣチップであるが、インターネットや無線によって日時を取得するように構成してもよい。
【００４２】
また、各種機器からの入力及び出力の検知を行う入出力Ｉ／Ｏ１８０（入出力Ｉ／Ｏ２８０）が、バス１１５（バス２１５）を介してＣＰＵ１１０（ＣＰＵ２１０）に接続されており、この入出力Ｉ／Ｏ１８０（入出力Ｉ／Ｏ２８０）には、入力パネル１８１（入力パネル２８１），体温センサ１８２（体温センサ２８２），発汗センサ１８３（発汗センサ２８３），心拍数センサ１８４（心拍数センサ２８４）が接続されている。なお、本実施の形態では、体温センサ１８２（体温センサ２８２）では計測値として０〜５０℃が計測され、発汗センサ１８３（発汗センサ２８３）では計測値として０〜１００％ＲＨが計測され、心拍数センサ１８４（心拍数センサ２８４）では計測値として０〜２００拍が計測されるものとする。これらの各センサから計測される情報が、本発明の「計測値」に相当する。
【００４３】
各センサは、固定電話機１（携帯電話機２）が他の端末との通話状態になると、自動的に定期的な計測を実行するように制御される。そして、ＲＡＭ１３０（ＲＡＭ２３０）に設けられたセンサ毎の計測値記憶エリア（図示外）に、各センサの計測値が入出力Ｉ／Ｏ１８０（入出力Ｉ／Ｏ２８０）を介して保存され、この計測値記憶エリアが参照されて最新の計測値が取得される。なお、各センサの計測値が各センサ内部の所定の記憶エリアに保存されて、入出力Ｉ／Ｏ１８０（入出力Ｉ／Ｏ２８０）を介してこの所定の記憶エリアから最新の計測値が取得されてもよい。
【００４４】
また、入力パネル１８１（入力パネル２８１）には、意思伝達スイッチが設けられる。ユーザはみずからの意思を意図的に固定電話機１（携帯電話機２）に伝達するために、意思伝達スイッチをオン又はオフする。例えば、本実施の形態では、固定電話機１（携帯電話機２）は各ユーザの「感動」について推論するものであるから、各ユーザは通話中に感動した場合には意思伝達スイッチをオンしてスイッチ情報「ＯＮ」を入力し、感動しない場合には意思伝達スイッチをオンせずに（オフして）スイッチ情報「ＯＦＦ」を入力する。
【００４５】
そして、第１の実施の形態の固定電話機１（携帯電話機２）では、各センサからのセンサ情報と、意思伝達スイッチからのスイッチ情報とに基づいて、各ユーザが通話中にどのような感情や意識などを生じたかを示す推論情報が作成される。なお、本実施の形態の固定電話機１（携帯電話機２）で実行されるモジュールの一つとして、推論情報作成プログラムが実行される。推論情報作成プログラムは、あらかじめＲＯＭ１２０（ＲＯＭ２２０）上のプログラム記憶エリア（図示外）に記憶されている。
【００４６】
なお、各センサから計測された情報に基づいて、各ユーザの意識や感情を推論する機能を具備するのが推論エンジンである。推論エンジンには、推論手法や設定条件が定義されており、この定義内容に従って各センサからの計測値に基づいて利用者の意識等を推論するためのプログラムであり、ＣＰＵ１１０（ＣＰＵ２１０）により実行される。本実施の形態では、複数の推論エンジンが推論情報作成プログラムの一部として、ＲＯＭ１２０（ＲＯＭ２２０）に記憶され、各ユーザは任意の推論エンジンを選択可能である。
【００４７】
また、外部の電話回線９０を介して、他ユーザの音声信号及び推論情報に関する信号（以下、推論情報信号）を受信したり、各ユーザの音声信号及び推論情報信号を他ユーザに送信するための通信部１４０（２４０）と、他ユーザの音声信号を音声に復調したり、各ユーザの音声を音声信号に変調したりする他、他ユーザの推論情報信号を推論情報に復調したり、各ユーザの推論情報を推論情報信号に変調したりする復変調部１５０（復変調部２５０）と、他ユーザの音声を出力するスピーカ１５１（スピーカ２５１）及び各ユーザの音声を入力するマイク１５２（２５２）とが設けられる。なお、本実施の形態では、固定電話機１における通信部１４０は有線によって、携帯電話機２における通信部２４０は無線によって、それぞれ電話回線９０に接続する機能を有し、各ユーザと他ユーザとの間でやり取りされる音声信号及び推論情報信号は、パケット符号化されているものとする。
【００４８】
そして、第１の実施の形態の固定電話機１（携帯電話機２）では、音声信号及び推論情報信号が送受信されて、各ユーザと他ユーザとの間で音声による通話がなされることに加え、他ユーザの推論情報に基づいて固定電話機１（携帯電話機２）の動作が制御されて、他ユーザの推論情報が各ユーザに対して通知される。なお、本実施の形態の固定電話機１（携帯電話機２）で実行されるモジュールの一つとして、情報提示プログラムが実行されることで情報提示態様が特定されて、その各情報提示態様による動作が制御される。情報提示プログラムは、あらかじめＲＯＭ１２０（ＲＯＭ２２０）上のプログラム記憶エリア（図示外）に記憶されている。また、発光部１９２（２９２），振動部１９３（２９３），発熱部１９４（２９４）の情報提示手段が設けられ、これらの一部又は全部における動作が制御されて、各種情報提示態様が実行される。
【００４９】
以上のように、固定電話機１及び携帯電話機２は基本的な構成が共通するが、本実施の形態では、固定電話機１のユーザＡと携帯電話機２のユーザＢとが通話するとともに、携帯電話機２においてユーザＢの推論情報が作成される一方（推論情報作成処理）、固定電話機１ではユーザＢの推論情報に基づいて、各種情報提示態様によってユーザＢの感情や意識などがユーザＡに対して通知される（情報提示処理）。
【００５０】
以下では、携帯電話機２における「推論情報作成処理」及び固定電話機１における「情報提示処理」について説明するが、同時に並行して通常の電話による通話処理が実行される。すなわち、携帯電話機２では「推論情報作成処理」と同時並行して、マイク２５２から入力されたユーザＢの音声が復変調部２５０において音声信号に変調されて、通信部２４０により固定電話機１に送信される処理が実行される。また、固定電話機１では「情報提示処理」と同時並行して、通信部１４０により受信された音声信号からユーザＢの音声が復調されて、スピーカ１５１からユーザＡに対して出力される処理が実行される。なお、本実施の形態では、固定電話機１と携帯電話機２との間では、音声信号がパケット符号化されて送受信されるものとする。
【００５１】
まず、本発明の携帯電話機２での「推論情報作成処理」の処理の流れを、図５乃至図１１を参照して説明する。図５は、推論情報作成処理のメインフローチャートである。図５は、推論情報作成処理のメインフローチャートである。図６は、推論エンジン初期化処理（Ｓ１）の詳細を示すフローチャートである。図７は、推論データ作成処理（Ｓ４）の詳細を示すフローチャートである。図８は、推論実行処理（Ｓ１６４）の詳細を示すフローチャートである。図９は、推論定義テーブル１３のデータ構成を示す図である。図１０は、推論情報出力処理（Ｓ１１）の詳細を示すフローチャートである。図１１は、推論情報１０のデータ構成を示す図である。
【００５２】
推論情報作成処理のメインフローチャート（図５）は、ユーザＢが携帯電話機２を用いて通話中に実行される。すなわち、携帯電話機２において、電話の着信又は発信がなされると推論情報作成処理が開始されて、通話中はその処理が継続して実行され、通話が終了するとその処理が終了される。
【００５３】
図５に示すように、推論情報作成処理では、まず推論エンジン初期化処理（Ｓ１）が実行される。推論エンジン初期化処理は、後述の推論データ作成処理の際に参照される各センサ毎の基準値を初期化する処理である。
【００５４】
図６に示すように、推論エンジン初期化処理（Ｓ１）では、変数ＳＴ，変数ＳＨ，変数ＳＭにそれぞれ「０」が代入され（Ｓ１０１）、変数Ｔに「３」が代入される（Ｓ１０２）。そして、各センサから計測値が取得される（Ｓ１０３）。すなわち、体温センサ２８２，発汗センサ２８３，心拍数センサ２８４によって、ユーザＢの体温，発汗，心拍数が計測されて、これらセンサから計測値が各々取得される。
各センサから取得された体温，発汗，心拍数の各計測値が、それぞれ変数ＳＴ，変数ＳＨ，変数ＳＭに加算される（Ｓ１０４）。なお、Ｓ１０３による計測値の取得が１回目であれば、Ｓ１０２により変数ＳＴ，変数ＳＨ，変数ＳＭには「０」が代入されているため、Ｓ１０３により取得された体温，発汗，心拍数の各計測値が、そのまま変数ＳＴ，変数ＳＨ，変数ＳＭに代入される。
【００５５】
そして、変数Ｔが「１」減算されて（Ｓ１０５）、Ｔが「０」でなければ（Ｓ１０６：ＮＯ）、Ｓ１０３に戻り、再び各センサによる計測値が取得される。このように、Ｓ１０２で変数Ｔに設定された回数（ここでは３回）に至るまで、Ｓ１０３の計測値の取得が実行されて、Ｓ１０３〜Ｓ１０６の処理が繰り返される。その結果、Ｔが「０」であれば（Ｓ１０６：ＹＥＳ）、変数ＳＴ，変数ＳＨ，変数ＳＭには、変数Ｔに設定された回数分の計測値の合計値が記憶される。
【００５６】
変数ＳＴ，変数ＳＨ，変数ＳＭは、変数Ｔに設定された値である「３」で各々除算されて、それぞれ変数ＣＴ，変数ＣＨ，変数ＣＭに代入される（Ｓ１０７）。すなわち、各センサ毎の計測値の合計値を、その計測回数で除算することで、各センサの１回の計測値の平均値（＝平常時の基準値）が取得される。
【００５７】
変数ＣＴは体温センサ２８２の基準値であり、変数ＣＨは発汗センサ２８３の基準値であり、変数ＣＭは心拍数センサ２８４の基準値である。これらの各センサの基準値は、ＲＡＭ２３０に設けられた基準値エリア（図示外）に保存される。
【００５８】
図５に戻り、推論エンジンの選択が実行される（Ｓ２）。携帯電話機２では複数の推論エンジンから任意のものを選択可能であり、各推論エンジンによって推論データを作成するための処理内容が異なる。各推論エンジンはＲＯＭ２２０のプログラム記憶エリア（図示外）に記憶されており、Ｓ２において後述の推論データ作成処理を実行する推論エンジンが決定される。
【００５９】
推論エンジンの選択（Ｓ２）は、ユーザＢが入力パネル２８１の推論エンジン選択スイッチ（図示せず）から任意のものを選択することにより実行される。また、携帯電話機２において実行される推論エンジンがあらかじめ設定されている場合は、その設定済みの推論エンジンが自動的に読込まれて選択される。ユーザＢによる推論エンジンの選択がない場合は、自動的にデフォルトの推論エンジンが設定される。
【００６０】
次に、携帯電話機２において通話が終了したか否かが判定される（Ｓ３）。携帯電話機２の電源がＯＦＦされたり、切断ボタンが押下されたり、電話回線との接続が終了した場合などは、通話が終了したと判定される。通話が終了したと判定された場合（Ｓ３：ＹＥＳ）、推論情報作成処理が終了される。
【００６１】
一方、通話が終了していないと判定された場合（Ｓ３：ＮＯ）、Ｓ２で選択された推論エンジンに従って、センサから計測された情報に基づいて推論データを作成する推論データ作成処理（Ｓ４）が実行される。先述のように推論データ作成処理での処理内容は、推論エンジンによって様々なものが可能であるが、本実施の形態では、推論定義テーブル１３（図９参照）が参照されて推論データを作成する推論エンジンによる処理の一例を示す。
【００６２】
図７に示すように、推論データ作成処理（Ｓ４）では、体温センサ２８２，発汗センサ２８３，心拍数センサ２８４の各センサで計測されたユーザＢの体温，発汗，心拍数の計測値が、各々取得される（Ｓ１６１）。次に、意思伝達スイッチが「ＯＮ」か否かが判定される（Ｓ１６２）。意思伝達スイッチが「ＯＮ」であれば（Ｓ１６２：ＹＥＳ）、あらかじめ定められた補正値によってＳ１６１で取得された各センサ計測値が補正される（Ｓ１６３）。補正値は各センサごとにあらかじめ定められており、この補正処理は各センサの計測値ごとに実行される。例えば、体温計測値「３６℃」に対しては体温補正値「１℃」が加算されて体温計測値「３７℃」に補正され、同様に、発汗計測値は発汗補正値により補正され、心拍数計測値は心拍数補正値により補正される。そして、この補正後の各センサ計測値に基づいて、推論実行処理が実行される（Ｓ１６４）。一方、意思伝達スイッチが「ＯＦＦ」であれば（Ｓ１６２：ＮＯ）、Ｓ１６１で取得された各センサ計測値に基づいて、後述の推論実行処理が実行される（Ｓ１６４）。そして、Ｓ１６４で取得された推論種別及び推論値を含む推論データが作成される（Ｓ１６５）。
【００６３】
図８に示すように、推論実行処理（Ｓ１６４）では、各センサからの計測値の状態変化を示すフラグである状態変数がクリアされる（Ｓ１７１）。本実施の形態では、体温センサ２８２が計測する体温についての第２ｂｉｔ、発汗センサ２８３が計測する発汗についての第１ｂｉｔ、心拍数センサ２８４が計測する心拍数についての第０ｂｉｔ、の３つのビットを状態変数として有している。そして、ＲＡＭ２３０の基準値エリア（図示外）を参照して、Ｓ１０７（図６参照）で算出された各センサの基準値に基づいて、各センサからの計測値の変化を判定する。
【００６４】
最初に、体温センサ２８２から取得された体温計測値と、体温に関する基準値（体温閾値）とが比較される（Ｓ１７２）。基準値（閾値）は、ＲＡＭ２３０の基準値エリア（図示外）に保存された値である。その結果、体温計測値が体温閾値よりも大きければ（Ｓ２１７２：ＹＥＳ）、第２ｂｉｔが「ＵＰ」にセットされる（Ｓ１７３）。一方、体温計測値が体温閾値よりも大きくない場合（Ｓ１７２：ＮＯ）、そのまま次のステップ（Ｓ１７４）へ進む。同様に、発汗センサ２８３から取得された発汗計測値と、発汗に関する基準値（発汗閾値）とが比較され（Ｓ１７４）、その結果、発汗計測値が発汗閾値よりも大きければ（Ｓ１７４：ＹＥＳ）、第１ｂｉｔが「ＵＰ」にセットされる（Ｓ１７５）。一方、発汗計測値が発汗閾値よりも大きくない場合（Ｓ１７４：ＮＯ）、そのまま次のステップ（Ｓ１７６）へ進む。また、心拍数センサ２８４から取得された心拍数計測値も、心拍数に関する基準値（心拍数閾値）と比較され（Ｓ１７６）、その結果、心拍数計測値が心拍数閾値よりも大きければ（Ｓ１７６：ＹＥＳ）、第０ｂｉｔが「ＵＰ」にセットされる（Ｓ１７７）。一方、心拍数計測値が心拍数閾値よりも大きくない場合（Ｓ１７６：ＮＯ）、そのまま次のステップ（Ｓ１７８）へ進む。
【００６５】
その後、状態変数の第２ｂｉｔ，第１ｂｉｔ，第０ｂｉｔまでのパターンに対応する推論種別及び推論値が、推論定義テーブル１３から取得される（Ｓ１７８）。図９に示すように、推論定義テーブル１３は、推論の種別を示す推論種別１３ａと、各センサからの計測値の変化状態を示すセンサ状態１３ｂと、ユーザＢの推論の強弱を数値で示す推論値１３ｃとをデータ項目として具備している。そして、各々のデータ項目の対応を、テーブル形式で定義している。先述のように、本実施の形態ではユーザＢの「感動」に関する推論データが作成されるから、参照される推論定義テーブル１３も「感動」に関するものである。よって、その推論種別１３ａは「感動」に関する種別が定義されており、「感動」の強弱によって「大興奮」から「無感動（平常）」までの複数の種別が存在している。また、その「感動」の強弱を数値で表した推論値１３ｃが定義され、例えば、推論種別１３ａが「大興奮」であれば、その推論値１３ｃは最大値の「１００」である。なお、図９に示す推論定義テーブル１３は「感動」に関するものであるから、推論値１３ｃは感動度（Ｅ）とも表示される。そして、Ｓ１７８では、Ｓ１７２〜Ｓ１７７によりセットされた状態変数によってセンサ状態１３ｂが特定されるから、このセンサ状態１３ｂに対応する推論種別１３ａや推論値１３ｃが取得される。
【００６６】
以上、Ｓ２において選択された推論エンジンがＣＰＵ２１０により実行されて、推論データ作成処理（Ｓ４）が実行され、推論データが作成される。このように、複数の推論エンジンを設けて、ユーザＢが任意の推論エンジンを選択できるため、携帯電話機２の利用状況や利用環境等に応じて、最適な推論エンジンによって推論データを作成でき、また、より正確にユーザＢに関する推論データを作成することができる。
【００６７】
図５に戻り、推論データ作成処理（Ｓ４）で作成された推論データを出力する推論情報出力処理（Ｓ１１）が実行される。図１０で示すように、推論データに基づいて推論情報が作成される（Ｓ３０１）。図１１に示すように、推論情報１０には、少なくとも推論値１０ａ，推論種別１０ｂが含まれる。推論値１０ａと推論種別１０ｂは、推論データに含まれる推論値１３ｃ及び推論種別１３ａに各々対応している。なお、推論情報１０に、現在日時を示す日時データや推論エンジンのＩＤ番号などの関連情報が含まれてもよい。Ｓ３０１で作成された推論情報１０は、復変調部２５０において電話回線９０に送信可能な信号である推論情報信号に変調及びパケット符号化されて（Ｓ３０２）、通信部２４０により固定電話機１にパケット送信される（Ｓ３０３）。
【００６８】
その後、図５に戻り、所定時間が経過したか否かが判定される（Ｓ１２）。この所定時間は、あらかじめ計時装置２９０にセットされている時間であり、Ｓ１２では計時装置２９０を参照して、所定時間の経過が判定される。計時装置２９０にセットされる所定時間は、ユーザＢ又は設計者によって任意の時間を設定可能である。
【００６９】
所定時間が経過していなければ（Ｓ１２：ＮＯ）、Ｓ１２で待ち状態となり、所定時間が経過するまで、このループ処理が繰り返される。一方、所定時間が経過した場合（Ｓ１２：ＹＥＳ）、Ｓ３へ戻り、通話が終了していなければ（Ｓ３：ＮＯ）、推論データ作成処理（Ｓ４）が実行されて推論データが作成され、さらに推論情報１０が出力される（Ｓ１１）。すなわち、携帯電話機２でユーザＢが通話中は、所定時間毎に推論情報１０が固定電話機１に送信される処理が繰り返される。
【００７０】
以上、携帯電話機２における「推論情報作成処理」では、各センサからの計測値とユーザＢによるスイッチ情報とに基づいて、通話中のユーザＢの「感動」状態について正確に推論した推論情報１０を作成することができる。そして、この推論情報１０が固定電話機１に送信されて、固定電話機１では以下のように、推論情報１０の内容がユーザＡに通知される。
【００７１】
次に、本発明の固定電話機１での「情報提示処理」の処理の流れを、図１２乃至図１５を参照して説明する。図１２は、情報提示処理のメインフローチャートである。図１３は、推論情報提示実行処理（Ｓ２７）の詳細を示すフローチャートである。図１４は、情報提示態様特定テーブル１７のデータ構成を示す図である。図１５は、発熱部１９４（発熱部２９４）の具体的構成を説明するための図である。
【００７２】
情報提示処理のメインフローチャート（図１２）は、推論情報作成処理（図５）と同様に、ユーザＡが固定電話機１を用いて通話中に実行される。すなわち、固定電話機１において、電話の着信又は発信がなされると情報提示処理が開始されて、通話中はその処理が継続して実行され、通話が終了するとその処理が終了される。
【００７３】
図１２に示すように、情報提示処理では、通話が終了したか否かが判定される（Ｓ２１）。固定電話機１において、受話器１ａが本体部１ｂの所定部位に戻されたり、切断ボタンが押下されたり、電話回線との接続が終了した場合などは、通話が終了したと判定される。通話が終了したと判定された場合（Ｓ２１：ＹＥＳ）、情報提示処理が終了される。
【００７４】
通話が終了していないと判定された場合（Ｓ２１：ＮＯ）、携帯電話機２から送信されたパケットが、通信部１４０により電話回線９０から受信される（Ｓ２２）。そして、Ｓ２２で受信されたパケットの種類が音声信号か否かが判定される（Ｓ２３）。パケットが音声信号であれば（Ｓ２３：ＹＥＳ）、復変調部１５０により音声信号がユーザＢの音声に復号されて（Ｓ２４）、スピーカ１５１から出力される（Ｓ２５）。一方、パケットが音声信号でなければ（Ｓ２３：ＮＯ）、パケットは推論情報信号であるため、復変調部１５０により推論情報信号がユーザＢの推論情報１０（図１１参照）に復号され（Ｓ２６）、後述の推論情報提示実行処理（Ｓ２７）が実行される。
【００７５】
図１３に示すように、推論情報提示実行処理（Ｓ２７）では、Ｓ２６で復号された推論情報１０から推論値１０ａである感動度（Ｅ）が取得される（Ｓ４０１）。そして、この感動度（Ｅ）に基づいて情報提示態様特定テーブル１７が参照されて、ユーザＡに対して実行すべき情報提示態様が特定される（Ｓ４０２）。
【００７６】
図１４に示すように、情報提示態様特定テーブル１７は、推論値１７ａと、発熱部１９４における発熱温度，発熱範囲，発熱面積などを定義した発熱態様１７ｂと、振動部１９３における振動の強さ，振動の速さ，振動時間間隔などを定義した振動態様１７ｃと、発光部１９２における光量，点滅時間間隔，発光色などを定義した発光態様１７ｄとをデータ項目として具備する。そして、各々のデータ項目の対応を、テーブル形式で定義する。先述のように、本実施の形態ではユーザＢの「感動」に関する推論情報１０が作成されるから、参照される情報提示態様特定テーブル１７も「感動」に関するものである。
【００７７】
本実施の形態の情報提示態様特定テーブル１７では、推論値１７ａである感動度（Ｅ）が高い値を示すほど、発熱態様１７ｂとしてより広い面積を発熱し、振動態様１７ｃとしてより短い周期で振動し、発光態様１７ｄとしてより明るい色で発光して、ユーザＡにより強い刺激や印象を与えるような情報提示態様が定義される。例えば、感動度（Ｅ）が最大値「１００」であれば、発熱態様１７ｂ「全面」，振動態様１７ｃ「連続」，発光態様１７ｄ「白」が情報提示態様として特定される一方、感動度（Ｅ）が最小値「０」であれば、発熱態様１７ｂ「なし」，振動態様１７ｃ「なし」，発光態様１７ｄ「なし」が情報提示態様として特定される。
【００７８】
Ｓ４０２でユーザＢの推論情報１０に対応する情報提示態様が特定されると、発熱態様１７ｂに基づいて発熱部１９４が動作するように制御される（Ｓ４０３）。図１５に示すように、発熱部１９４を発熱素子を同心円状に重ねた構成とすれば、その発熱面積や発熱温度などを電気的に容易に制御可能である。好適には、発熱部１９４は、通話中のユーザＢの耳が当てられるスピーカ１５１の中心部位から、同心円状に発熱面積が変化するように制御される。
【００７９】
同様に、振動態様１７ｃに基づいて振動部１９３が動作するように制御され（Ｓ４０４）、発光態様１７ｄに基づいて発光部１９２が動作するように制御される（Ｓ４０５）。発光態様１７ｄ及び発光部１９２の動作制御も、公知の技術により電気的に制御される。
【００８０】
図１２に戻り、Ｓ２５又はＳ２７の後、Ｓ２１へ戻り、通話が終了していなければ（Ｓ２１：ＮＯ）、さらにパケットが受信されて（Ｓ２２）、音声出力（Ｓ２５）又は推論情報提示実行処理（Ｓ２７）が実行される。すなわち、固定電話機１でユーザＡが通話中は、ユーザＢについての音声出力と推論情報提示が継続的に繰り返して実行される。
【００８１】
以上、固定電話機１における「情報提示処理」では、スピーカ１５１からユーザＢの音声を出力するのみならず、ユーザＢの推論情報１０に対応する情報提示態様によって、通話中のユーザＢの「感動」状態を、ユーザＡに対して確実に通知することができる。特に、発熱部１９４，振動部１９３，発光部１９２による情報提示態様によって、ユーザＡは受話器１ａを用いて通話しながらでも、ユーザＢの「感動」状態を正確に把握できる。
【００８２】
ところで、携帯電話機２を送信側、固定電話機１を受信側として説明したが、固定電話機１と携帯電話機２とは基本的に同一構成及び同一機能（図４参照）を有し、また電話通話ではお互いに各ユーザの音声が入出力される。よって、固定電話機１を送信側、携帯電話機２を受信側として機能させることも当然可能である。その場合、固定電話機１及び携帯電話機２の双方で、推論情報作成処理（図５）及び情報提示処理（図１２）が実行されて、固定電話機１と携帯電話機２の通話中は、双方で音声の入力と推論情報１０の作成が実行されて、相互に音声及び推論情報１０が送受信され、かつ双方で音声の出力と推論情報１０に基づいた情報提示処理とが実行される。よって、固定電話機１及び携帯電話機２の各ユーザが他ユーザの「感動」状態を把握しながら、電話通話することができる。
【００８３】
以上、第１の実施の形態の固定電話機１及び携帯電話機２によれば、携帯電話機２（固定電話機１）において、通話中のユーザＢ（ユーザＡ）の「感動」状態について正確に推論した推論情報１０を作成することができ、固定電話機１（携帯電話機２）において、ユーザＢ（ユーザＡ）の音声を出力するのみならず、通話中のユーザＢ（ユーザＡ）の「感動」状態を、ユーザＡ（ユーザＢ）に対して確実に通知することができる。
【００８４】
次に、本発明の第２の実施の形態を図面を参照して説明する。第２の実施の形態に係る音声通信装置も、利用者と通話相手とが通話とするための固定電話機又は携帯電話機であり、基本的な構成は第１の実施の形態と同じである。しかし、第１の実施の形態では推論情報１０が送受信されるのに対し、本実施の形態では、携帯電話機２から固定電話機１へセンサからの計測値及びユーザＢのスイッチ情報が送信されて、固定電話機１でユーザＢの推論情報が作成される。なお、本実施の形態において、通話相手に関する情報とは、センサから計測された情報及びユーザＢが入力した情報である。
【００８５】
本実施の形態では、携帯電話機２において、固定電話機１との通話中は、体温センサ２８２，発汗センサ２８３，心拍数センサ２８４の各センサで計測されたユーザＢの体温，発汗，心拍数の計測値が各々取得されて、復変調部２５０により変調化、パケット符号化されて、通信部２４０により固定電話機１に送信される。同様に、ユーザＢが意思伝達スイッチをＯＮしたスイッチ情報も、変調化、パケット符号化されて送信される。この処理も、通話中に、あらかじめ定められた期間ごとに定期的に繰り返し実行される。
【００８６】
一方、固定電話機１では、携帯電話機２との通話中は、推論情報作成処理（図５）が実行される。ただし、「各センサからの計測値の取得」（図６のＳ１０３，図７のＳ１６１）では、通信部１４０により携帯電話機２から受信され、復変調部１５０により復号化された各センサからの計測値が取得される。同様に、「意思伝達スイッチ＝ＯＮか？」（図７のＳ１６２）の判定も、携帯電話機２から受信したスイッチ情報に基づいて判定される。
【００８７】
以上の処理により、第１の実施の形態と同様のユーザＢに関する推論情報１０（図１１参照）が、固定電話機１において作成される。そして、この推論情報１０に基づいて、固定電話機１において情報提示処理（図１２）が実行される。なお、携帯電話機２においても、本実施の形態の固定電話機１と同様にできることはいうまでもない。
【００８８】
以上、第２の実施の形態の固定電話機１及び携帯電話機２によれば、携帯電話機２（固定電話機１）から送信されたセンサからの計測値及びスイッチ情報を受信して、固定電話機１（携帯電話機２）において、通話中のユーザＢ（ユーザＡ）の「感動」状態について正確に推論した推論情報１０を作成し、ユーザＢ（ユーザＡ）の音声を出力するのみならず、通話中のユーザＢ（ユーザＡ）の「感動」状態を、ユーザＡ（ユーザＢ）に対して確実に通知することができる。
【００８９】
次に、本発明の第３の実施の形態を図面を参照して説明する。図１６は、固定電話機１（携帯電話機２）の電気的構成を示す他のブロック図である。第１の実施の形態に係る音声通信装置では、各センサは各ユーザの体温，発汗，心拍数を計測し、情報提示手段は発光，振動，発熱に関する動作を行う。しかしながら、また、各センサ及び情報提示手段は、これらに限定されず、各種のものを適用可能である。
【００９０】
本実施の形態では、固定電話機１（携帯電話機２）において、各ユーザが受話器１ａ（携帯電話機２）を握る圧力を計測する圧力センサ１８５（圧力センサ２８５）が設けられる。図示しないが、この読取部も、受話器１ａ（携帯電話機２）の側面部表面に設けられ、各ユーザがこの受話器１ａ（携帯電話機２）を握り持つ状態で各ユーザの掌に接触して、適切に各ユーザの握力を計測可能な状態に設けられる。なお、圧力センサ１８５（圧力センサ２８５）を用いた場合の推論情報作成処理も、基準値や単位は異なるものの、他のセンサ計測値と同様の処理がなされればよい（図５参照）。その他、例えば、各ユーザの振動、脳波、呼吸、加速度、傾き、バイオリズムなどが、各ユーザから計測されるようにしてもよい。
【００９１】
また、図示しないが、通話中の各ユーザが耳をあてるスピーカ１５１（スピーカ２５１）の近傍には、電流部１９５（電流部２９５）が設けられる。電流部１９５（電流部２９５）は、例えば微弱電流を流すことができる素子であり、その電流の強度が制御されて、他ユーザの推論情報を各ユーザに通知する。その情報提示態様も、情報提示態様特定テーブル１７（図１７参照）に任意に定義可能である。
【００９２】
なお、各センサや入力パネルなどは、固定電話機１（携帯電話機２）に一体として構成されている必要はなく、有効に計測値や入力情報を取得できれば、ＵＳＢやネットワークなどにより遠隔接続してもよい。また、情報提示手段も、固定電話機１（携帯電話機２）から取り外し可能な構成としてもよいし、独立な構成として各ユーザに具備されて、その動作がリモート制御されるようにしてもよい。また、固定電話機１では、これらの情報提示手段が受話器１ａではなく、本体部１ｂに設けられてもよい。また、発光部１９２（発光部２９２）は、表示部１９１（表示部２９１）と兼用されてもよい。
【００９３】
以上、第３の実施の形態の固定電話機１及び携帯電話機２によれば、各ユーザの握力を計測する圧力センサ１８５（圧力センサ２８５）や、微弱電流をユーザに与える電流部１９５（電流部２９５）を用いても本発明を実現できる。すなわち、各センサや情報提示手段としては各種のものを利用可能であり、また様々な組み合わせで利用可能である。また、固定電話機１と携帯電話機２とで、それぞれ設けられる各センサや情報提示手段が一致する必要はなく、様々な態様で本発明の音声通信装置を実現できる。
【００９４】
ところで、上記第１乃至第３の実施の形態において、通信部１４０（通信部２４０）が本発明の「送信手段」及び「受信手段」に相当し、復変調部１５０（復変調部２５０）及びスピーカ１５１（スピーカ２５１）は本発明の受信手段により受信された音声信号にもとづいて、通信相手の音声を出力する「音声出力手段」に相当し、復変調部１５０（復変調部２５０）及びマイク１５２（マイク２５２）が本発明の「音声入力手段」に相当する。また、発光部１９２（発光部２９２），振動部１９３（振動部２９３），発熱部１９４（発熱部２９４），電流部１９５（電流部２９５）が、本発明の「情報提示手段」に相当する。
【００９５】
また、情報提示プログラムを実行して、推論情報提示実行処理（図１３）を実行するＣＰＵ１１０（ＣＰＵ２１０）が、本発明の「情報提示態様特定手段」及び「情報提示態様動作制御手段」に相当する。詳細には、Ｓ４０１〜Ｓ４０２を実行するＣＰＵ１１０が「情報提示態様特定手段」に相当し、Ｓ４０３〜Ｓ４０５を実行するＣＰＵ１１０が「情報提示態様動作制御手段」に相当する。
【００９６】
また、体温センサ１８２（体温センサ２８２），発汗センサ１８３（発汗センサ２８３），心拍数センサ１８４（心拍数センサ２８４），圧力センサ１８５（圧力センサ２８５）からの計測値の入力を検知する入出力Ｉ／Ｏ１８０（入出力Ｉ／Ｏ２８０）が、本発明の「計測値取得手段」に相当する。また、推論情報作成プログラムを実行して、推論情報作成処理（図５）を実行するＣＰＵ１１０（ＣＰＵ２１０）が、本発明の「推論情報作成手段」に相当する。入力パネル１８１（入力パネル２８１）に設けられた意思伝達スイッチが、本発明の「意思入力手段」に相当し、入出力Ｉ／Ｏ１８０（入出力Ｉ／Ｏ２８０）が本発明の「意思情報取得手段」に相当する。
【００９７】
なお、本発明は、以上詳述した第１乃至第３の実施の形態に限定されるものではなく、各種の変形が可能なことはいうまでもない。利用者の身につける支持部材の形状としては、把持する受話器形状である必要はなく、頭部に装着するヘッドセット型や耳に装着するイヤホン型、ＰＤＡ型、ブローチなどのアクセサリ型であってもよい。また、支持部材はスピーカ部を有して耳に当接する構成である必要はなく、骨伝導部を有し肌に当接する構成であってもよい。
【００９８】
推論データ作成処理（Ｓ４）は図７に示すものに限定されず、推論エンジンの選択（Ｓ２）で選択された推論エンジンによって、様々な処理が可能である。図１７は補正テーブル１４のデータ構成を示す図であり、この補正テーブル１４を用いて、次のように処理してもよい。各センサからの計測値に基づいてＳ１６４の推論実行処理（図８）を実行して推論種別１３ａ及び推論値１３ｃを取得する。意思伝達スイッチがＯＮされていれば、補正テーブル１４を参照して、推論種別１３ａ（１４ａ）及び推論値１３ｃ（１４ｂ）に対応するスイッチＯＮ時補正値１４ｃを取得する。このスイッチＯＮ時補正値１４ｃにより、補正後の推論種別１４ｄ及び推論値１４ｅを取得する。
【００９９】
また、上記実施の形態では、推論情報１０が「感動」について推論される場合を説明しているが、感情，意識，状況の他にも、雰囲気や重要度等のように、事象の文脈や状況の前後関係などを示すものであって、事実や証拠のみでは把握できない抽象的な概念（コンテクストともいう。）について、推論情報１０が推論されてもよい。そのため、「悲しみ」，「怒り」，「楽しさ」，「賑やかさ」，「忙しさ」等について推論された推論情報１０が作成されてもよい。そして、各推論情報１０の推論内容に対応する推論定義テーブル１３が設定されればよい。例えば、利用者や通話相手の「悲しみ」に基づいて、推論情報１０を作成したい場合は、「悲しみ」に対応する推論定義テーブル１３が設定されればよい。
【０１００】
また、推論定義テーブル１３には、あらかじめ任意の推論内容についてのテーブルが利用者又は設計者によって設定されていてもよいし、複数の推論内容の各々に対応する複数のテーブルが推論定義テーブル１３にあらかじめ設定されており、推論データ作成処理（図７）において、自動的に最適なテーブルが選択されるようにしてもよい。
【０１０１】
また、推論エンジン初期化処理（図６）では、サンプリング値を測定してその平均値を基準値として算定しているが、サンプリング値の時系列データを取得して、その推移の特徴に基づいて基準値を算定するようにしてもよい。また、異常なサンプリング値は除外して基準値を算定するようにしてもよい。また、推論実行処理（図８）での比較処理（Ｓ１７２，Ｓ１７４，Ｓ１７６）では、各センサ毎に変化閾値εを設けておき、閾値を変化閾値εで補正した補正値で、各センサからの計測値との比較を実行してもよい。例えば、変化閾値εを誤差許容範囲として、閾値の５％程度を設定する等である。また、本実施の形態では、各センサからの計測値を閾値と比較して状態変化を判定しているが、各センサからの計測値から所定の基準値を減算して増分値を求めて、この増分値が閾値よりも大か小かを比較して状態変化を判定するようにしてもよい。
【産業上の利用可能性】
【０１０２】
本発明の音声通信装置は、固定電話機，携帯電話機，ＰＨＳ，電話機能付パーソナルコンピュータなど、音声通話が可能な端末機器に適用できる。
【図面の簡単な説明】
【０１０３】
【図１】固定電話機１及び携帯電話機２についての全体構成図である。
【図２】固定電話機１の構成を示す図である。
【図３】携帯電話機２の構成を示す図である。
【図４】固定電話機１（携帯電話機２）の電気的構成を示すブロック図である。
【図５】推論情報作成処理のメインフローチャートである。
【図６】推論エンジン初期化処理（Ｓ１）の詳細を示すフローチャートである。
【図７】推論データ作成処理（Ｓ４）の詳細を示すフローチャートである。
【図８】推論実行処理（Ｓ１６４）の詳細を示すフローチャートである。
【図９】推論定義テーブル１３のデータ構成を示す図である。
【図１０】推論情報出力処理（Ｓ１１）の詳細を示すフローチャートである。
【図１１】推論情報１０のデータ構成を示す図である。
【図１２】情報提示処理のメインフローチャートである。
【図１３】推論情報提示実行処理（Ｓ２７）の詳細を示すフローチャートである。
【図１４】情報提示態様特定テーブル１７のデータ構成を示す図である。
【図１５】発熱部１９４（発熱部２９４）の具体的構成を説明するための図である。
【図１６】固定電話機１（携帯電話機２）の電気的構成を示す他のブロック図である。
【図１７】補正テーブル１４のデータ構成を示す図である。
【符号の説明】
【０１０４】
１    固定電話機
1ａ    受話器
１ｂ    本体部
２    携帯電話機
１０    推論情報
１３    推論定義テーブル
１４    補正テーブル
１７    情報提示態様特定テーブル
９０    電話回線
１１０      ＣＰＵ
１１５      バス
１２０      ＲＯＭ
１３０      ＲＡＭ
１４０    通信部
１５０    復変調部
１５１    スピーカ
１５２    マイク
１８０      入出力Ｉ／Ｏ
１８１    入力パネル
１８２    体温センサ
１８３    発汗センサ
１８４    心拍数センサ
１８５    圧力センサ
１９０    計時装置
１９１    表示部（ＬＥＤ）
１９２    発光部
１９３    振動部
１９４    発熱部
１９５    電流部
２１０      ＣＰＵ
２１５      バス
２２０      ＲＯＭ
２３０      ＲＡＭ
２４０    通信部
２５０    復変調部
２５１    スピーカ
２５２    マイク
２８０      入出力Ｉ／Ｏ
２８１    入力パネル
２８２    体温センサ
２８３    発汗センサ
２８４    心拍数センサ
２８５    圧力センサ
２９０    計時装置
２９１    表示部（ＬＥＤ）
２９２    発光部
２９３    振動部
２９４    発熱部
２９５    電流部
【図１】
2005295170.tif 000003
【図２】
2005295170.tif 000004
【図３】
2005295170.tif 000005
【図４】
2005295170.tif 000006
【図５】
2005295170.tif 000007
【図６】
2005295170.tif 000008
【図７】
2005295170.tif 000009
【図８】
2005295170.tif 000010
【図９】
2005295170.tif 000011
【図１０】
2005295170.tif 000012
【図１１】
2005295170.tif 000013
【図１２】
2005295170.tif 000014
【図１３】
2005295170.tif 000015
【図１４】
2005295170.tif 000016
【図１５】
2005295170.tif 000017
【図１６】
2005295170.tif 000018
【図１７】
2005295170.tif 000019